(57)【要約】【課題】  吸収性物品用等に設計したエンボス溝のパターンが、該エンボス溝の形成工程において明瞭に形成可能なものであるか否かを簡便に判定することのできる、エンボス溝の成形性評価方法を提供すること。【解決手段】  評価対象のエンボス溝のパターン上に、吸収性物品を幅方向に横断する一定幅の帯状領域７を想定し、該帯状領域７の位置を該吸収性物品の長手方向に一定距離づつ移動して、その各位置において、該帯状領域7内に存するエンボス部の合計面積を求め、エンボス部の合計面積の最大値が、一定の値以下であるか否かを基準にして、前記エンボス溝が明瞭に形成可能なものであるか否かを判定する。【選択図】    図３
2006020977.tif 000002
【特許請求の範囲】
【請求項１】
液透過性の表面シート、裏面シート及び両シート間に介在された液保持性の吸収体を具備する吸収性物品用のエンボス溝のパターンが、該エンボス溝の形成工程において明瞭に形成可能なものであるか否かを判定する、エンボス溝の成形性評価方法であって、
評価対象の前記エンボス溝のパターン上に、前記吸収性物品を幅方向に横断する一定幅の帯状領域を想定し、該帯状領域の位置を該吸収性物品の長手方向に一定距離づつ移動して、その各位置において、該帯状領域内に存するエンボス部の合計面積を求め、
前記エンボス部の合計面積の最大値が、一定の値以下であるか否かを基準にして、前記エンボス溝が明瞭に形成可能なものであるか否かを判定するエンボス溝の成形性評価方法。
【請求項２】
前記帯状領域の幅を３ｍｍとし、該帯状領域を前記吸収性物品の長手方向に１ｍｍづつ移動させて、前記エンボス部の合計面積を求める請求項１記載のエンボス溝の成形性評価方法。
【発明の詳細な説明】
【技術分野】
【０００１】
本発明は、エンボス溝の成形性評価方法に関する。
【背景技術】
【０００２】
従来、生理用ナプキン、パンティライナー、失禁パッド等の吸収性物品として、液透過性の表面シート、液不透過性の裏面シート及び両シート間に介在された液保持性の吸収体を具備し、その表面シート側の面（着用時に着用者の肌に向けられる面）に、防漏性の向上、排泄部対向部の隆起促進による排泄部への密着性の向上等を目的としてエンボス溝を形成することが広く行われている。
【０００３】
エンボス溝の形成方法としては、表面シートと吸収体とを積層した積層体、表面シート、吸収体及び裏面シートを積層した積層体、それらに更に他のシートを積層した積層体等を、吸収性物品を装着した際の前方と後方を結ぶ方向（以下、長手方向という）に対応する方向に搬送しつつ、周面にエンボス溝の形状に対応する形状の凸条部を有する加熱可能なエンボスロールと、表面平滑なバックアップロールとの間に、その表面シート側の面をエンボスロール側にして挿通し、前記積層体を、前記凸条部とバックアップロール表面との間で部分的に圧搾する方法が広く行われている。このようにして形成されるエンボス溝は、一般に、長手方向に沿って高圧搾部と、低圧搾部又は非圧搾部とが交互に配置されている。
【０００４】
このようなエンボスの形成方法においては、エンボスロール及びバックアップロールロールに作用させる押圧力が一定であるため、吸収性物品を長手方向に直交する方向（以下、幅方向という）に横断する一本の線を引き、この横断線が高圧搾部と接触する部分の長さを横断線上において合計した長さを接触線長さと定義した場合、吸収性物品の略幅方向に沿う幅方向のエンボスの接触線長さが相対的に長く、吸収性物品の略長手方向に沿う長手方向のエンボスの接触線長さが相対的に短くなる。そのため、略幅方向のエンボス溝を形成する際の線圧と略長手方向のエンボス溝を形成する際の線圧とに差が生じ、線圧の高い部分に表面シートの破れ、線圧の低い部分に表面シートの浮きが生じ易い。また、浮きを防ぐために線圧を高くすると線圧の低い部分で表面シートに切れを発生しやすい。特にこのような現象は表面シートが特許文献１や２に示すような低融点の樹脂を構成成分とする繊維からなる不織布の様な場合に、エンボスロールの加熱温度を上げることができないときに生じやすい。
【０００５】
このような表面シートに破れや浮きが生じることを防止するために、吸収性物品の略幅方向に沿う幅方向のエンボスが存在する領域における前記接触線長さの最大値と、略長手方向に沿う長手方向のエンボスが存在する領域における前記接触線長さの最大値との差を５ｍｍ以内とした吸収性物品が提案されている（特許文献３参照）。
【０００６】
【特許文献１】特開平９−１０８２６２号公報
【特許文献２】特開平８−３２５８４９号公報
【特許文献３】特開２００３−２６５５１９号公報
【発明の開示】
【発明が解決しようとする課題】
【０００７】
しかし、本発明者らの試験によれば、特許文献３のように、接触線長さの最大値の差を５ｍｍ以内に抑制しても表面シートの破れや浮きを防止できない場合がある。
【０００８】
また、成形性の良いエンボス溝を得るためには、エンボスロールを実際に作成し、試作を行い成形性の評価を行う、という作業の繰り返しになり、コストと時間がかかってしまうという問題点があった。
【０００９】
従って、本発明の目的は、吸収性物品用等に設計したエンボス溝のパターンが、該エンボス溝の形成工程において明瞭に形成可能なものであるか否かを簡便に判定することのできる、エンボス溝の成形性評価方法を提供することにある。
【課題を解決するための手段】
【００１０】
本発明は、液透過性の表面シート、裏面シート及び両シート間に介在された液保持性の吸収体を具備する吸収性物品用のエンボス溝のパターンが、該エンボス溝の形成工程において明瞭に形成可能なものであるか否かを判定する、エンボス溝の成形性評価方法であって、評価対象の前記エンボス溝のパターン上に、前記吸収性物品を幅方向に横断する一定幅の帯状領域を想定し、該帯状領域の位置を該吸収性物品の長手方向に一定距離づつ移動して、その各位置において、該帯状領域内に存する前記エンボス部の合計面積を求め、前記エンボス部の合計面積の最大値が、一定の値以下であるか否かを基準にして、前記エンボス溝が明瞭に形成可能なものであるか否かを判定するエンボス溝の成形性評価方法を提供することにより、上記の目的を達成したものである。
【発明の効果】
【００１１】
本発明のエンボス溝の成形性評価方法によれば、吸収性物品用に設計等したエンボス溝のパターンが、エンボスの形成工程においてシートの浮きや切れを発生することなく、明瞭に形成することができるものであるか否かを簡便に判定することができる。その判定結果は、吸収性物品用のエンボスの設計に活用することができる。また、ＣＡＤ等を用いて机上で設計した仮想のエンボス溝のパターンの評価も可能なので、評価の為の試作等の回数を削減することができ、製品化のスピードを上げるとともにコストの削減も可能になる。
【発明を実施するための最良の形態】
【００１２】
以下本発明をその好ましい実施形態に基づき図面を参照しながら説明する。
先ず、本発明における吸収性物品の一例としての生理用ナプキン１について説明する。生理用ナプキン１は、図１及び図２に示すように、液透過性の表面シート２、液不透過性の裏面シート３、及び両シート間に介在された液保持性の吸収体４を具備し、実質的に縦長に形成されている。
吸収体４は、表面シート２及び裏面シート３間に挟まれた状態で固定されている。表面シート２は、肌当接面を形成している。表面シート２の長手方向の左右両側縁部は、吸収体４の裏面シート３側の面側に巻き下げられて、吸収体４と裏面シート３との間に接着剤により固定されている。表面シート２及び裏面シート３は、ナプキン１の長手方向の前後端部において、吸収体４の長手方向の両端部から延出し、その延出部は互いにヒートシール等により接合されてシール部５を形成している。
【００１３】
ナプキン１の表面シート２側の面には、図２に示すように、エンボス加工により表面シート２と吸収体４とを一体的に圧搾して形成したエンボス溝６が形成されている。エンボス溝６は、図１に示すように、全体として、ナプキン１の長手方向に縦長の形状を有している。
エンボス溝６の底面には、図２に示すように、高圧搾部６１と低圧搾部６２とが形成されており、高圧搾部６１は、エンボス溝６の長手方向に沿って間欠的に形成されている。具体的には、エンボス溝６の幅方向中央部においては、高圧搾部６１と低圧搾部６２とがエンボス溝６の長手方向に沿って交互に配置されており、エンボス溝６の幅方向両端部においては、低圧搾部６２が連続している。
高圧搾部６１は、エンボス溝６の形成時に、低圧搾部６２よりも強く圧搾された部分である。高圧搾部６１は、図２（ｂ）及び（ｃ）に示すように、低圧搾部６２よりも圧密化されており、低圧搾部６２よりも厚みが薄くなっている。
【００１４】
本発明のエンボス溝の成形性評価方法の一実施形態について説明する。
エンボス溝の成形性評価方法の一実施形態においては、エンボス溝のパターンを決定する。即ち、エンボス溝の平面視形状、特に吸収性物品の長手方向端部付近に存する部分の形状を決定すると共に、エンボス溝の高圧搾部に対応するエンボス部の形状、大きさ及び配置間隔等を適宜に決定する。エンボス溝を高圧搾部と低圧搾部から形成させたいときは、そのエンボス溝内の高圧搾部の形状、大きさ及び配置間隔等を適宜に決定して、底部に高圧搾部及び低圧搾部を有するエンボス溝を設計する。評価対象としてのエンボス溝は、ＣＡＤ等を用いて机上で設計したもの（仮想のもの）でも良い。
【００１５】
エンボス溝の成形性評価方法においては、このようにして設計等したエンボス溝のパターンについて、エンボス溝の形成工程において明瞭に形成可能なものであるか否かを判定する。
具体的には、図３に示すように、評価対象となるエンボス溝のパターン上に、吸収性物品を幅方向に横断する一定幅の帯状領域７を想定し、該帯状領域７の位置を、該吸収性物品の長手方向に移動して、その各位置について、該帯状領域内に存するエンボス部の合計面積を求める。
本発明におけるエンボス部は、本設計法に基づき生産される吸収性物品のエンボス溝の高圧搾部に対応する部分である。高圧搾部とは、表面シート及び吸収体の合計厚みが、エンボス溝に隣接する、圧搾されていない部分における同合計厚みの１０％以下の厚みに圧搾されている部分を意味する。従って、帯状領域７内に存するエンボス部の合計面積を求める場合には、高圧搾部に対応する部分の合計面積を求める。
但し、ＣＡＤ等を用いて机上で設計したものの場合は、実際の製品を圧搾した場合に、表面シート及び吸収体の合計厚みが、エンボス溝に隣接する、圧搾されていない部分における同合計厚みの５％以下に圧搾されると計算される部分をエンボス部（高圧搾部に対応する部分）とし、帯状領域内の合計面積を求める場合には、そのようにして求められるエンボス部の合計面積を求める。
本実施形態のナプキンにおけるように、エンボス溝が、高圧搾部６１と低圧搾部６２とからなる場合、より強く圧搾された部分である高圧搾部６１における、厚みが上記範囲となる部分の面積を合計する。
【００１６】
そして、エンボス部の合計面積の最大値を、任意に設定した設定値以下であるか否かを基準にして、エンボスが明瞭に形成可能か否かを判定する。「設定値以下であるか否かを基準」にするという表現には、「設定値以下であるか否かを基準」にする場合の他、「設定値未満であるか否かを基準」を基準にする場合も含まれる。
【００１７】
例えば、好ましい吸収性物品の製造方法においては、エンボスロールの直径を１３０〜２６０ｍｍとし、圧搾時の圧力を１．５〜６ＭＰａ、エンボスロールの加熱温度を８０〜２００℃に設定するが、その場合には、帯状領域７の幅を３ｍｍとし、帯状領域７を１ｍｍずつ移動させることが好ましく、合計面積の最大値は９ｍｍ2以下で任意に設定した値であることが好ましい。
９ｍｍ2以下で任意に設定とは、エンボス溝の成形性をどの程度のレベルで要求するかに応じて、任意に設定できることを意味する。例えば、上述した吸収性物品と同程度のエンボス溝の成形性を希望する場合には設定値を９ｍｍ2とし、それ以上に高いレベルの成形性を要求する場合には、より小さい値を設定する。厳しい条件を設定することにより、実際の製造時に、エンボス溝が明瞭に形成できている吸収性物品の割合の向上を図ることができる。
【００１８】
エンボス溝の成形性評価方法はＣＡＤ等を用いた仮想のものでも実施可能である。これにより、成形性の評価のためにエンボスロールを試作したり、試作テストをしたりする回数が最低限ですむようになり、コストと時間の削減が可能になる。
【００１９】
本発明の成形性評価方法は、以下の製造方法によって製造される吸収性物品のエンボス溝の評価に特に好ましく用いることができる。
【００２０】
本製造方法においては、図４に示すように、エンボス溝６の形状に対応する形状の凸条部８（凸部）を有するエンボスロール８３と、エンボスロール８３に対向配置された表面平滑なバックアップロール８４とを有するエンボス形成装置８０を用いる。エンボス形成装置には、エンボスロールの凸条部８を所定の温度に加熱し、その状態を維持可能な加熱手段が設けられている。凸条部８は、その先端部に位置する先端面略平面状の高加圧部８１と、隣接する高加圧部８１間及び高加圧部８１の両側に位置し、該高加圧部８１との間に段差を有する低加圧部８２とを有している。高加圧部８１は、凸条部８が延びる方向に間欠的に配置されている。高加圧部８１の先端面が、本発明におけるエンボス部に対応している。
【００２１】
エンボスロール８３とバックアップロール８４による圧搾の圧力は１．５〜６ＭＰａであることが好ましく、表面シートの融点が低い材料のような場合には３〜６ＭＰａであることがより好ましい。この様な圧力の時に、エンボス溝の浮きや表面シートの切れの発生しやすいが、エンボス部に対応する凸部先端面（高加圧部８１の上端面）の合計面積の最大値を９ｍｍ2以下とすることで、そのような不都合を防止することができる。
【００２２】
そして、長尺状の表面シート２及び該表面シート２の長手方向に間欠的に配置された吸収体４からなる積層体１０を、ナプキン１の長手方向に対応するその長手方向に連続搬送しつつ、所定の温度に加熱したエンボスロール８３とバックアップロール８４との間に、その表面シート側の面をエンボスロール側にして挿通する。これにより、その積層体に、高加圧部８１により圧搾された高圧搾部６１（図２参照）と、低加圧部８２により圧搾された低圧搾部６２（図２参照）を底面に有するエンボス溝６が形成される。エンボス溝６は、表面シート２と吸収体４とが重なっている部分に形成される。そして、エンボス溝６が形成された積層体の吸収体４側の面上に、裏面シート３を積層接着し、次いで、隣接する吸収体間で表裏面シート間を熱シールすると共にその熱シール部で個々のナプキンの寸法に切断することにより、ナプキン１が得られる。積層体１０の吸収体４側の面に裏面シート３を積層した状態でエンボス形成装置８０に通しても良い。
【００２３】
本発明は、表面シートとして、低融点樹脂からなる繊維を含むシート材を用いる場合に特に有効である。低融点樹脂からなる繊維を含むシート材を表面シートとして用いる場合には、繊維が固化しきれずに、繊維が切れたままで、明瞭なエンボスを得られないことがあるから、エンボスロールの温度を比較的低温、例えば８０〜１５０℃程度に抑えることが好ましいが、上述した条件を満たすエンボスであれば、そのような温度であっても表面シートに浮きを生じることなく明瞭なエンボスを形成することができる。
【００２４】
低融点樹脂からなる繊維としては、その全体が低融点樹脂からなる繊維、芯鞘型の複合繊維であって、その鞘成分が低融点樹脂からなるもの、サイドバイサイド型の複合繊維であって、その何れかの成分が低融点樹脂からなるもの等の何れもが含まれる。低融点樹脂としては、例えば融点が１５０℃以下の樹脂、例えばポリエチレン樹脂、エチレン−プロピレンランダム共重合体、等が挙げられる。シート材中の、低融点樹脂からなる繊維の含有率は例えば６０〜１００％、或いは８０〜１００％とすることができる。
【００２５】
低融点樹脂からなる繊維からなるシート材としては、低融点樹脂からなる繊維を、熱融着法、水流交絡法、ニードルパンチ法、溶剤接着法等により不織布化して得られる不織布、低融点樹脂を用いてスパンボンド法、メルトブローン法等の方法で得た不織布等が好ましく用いられる。このような不織布は、一種を単独で使用しても良く、２種以上を積層して両者間を部分的に接合して用いることができる。また、不織布と、カード法により得られた繊維ウエブを積層して両者間を部分的に接合したもの等を用いることもできる。
【００２６】
尚、吸収体４としては、パルプ繊維等の繊維材料のみからなるもの、繊維材料と高吸水性ポリマーからなるもの等を用いることができる。繊維材料と高吸水性ポリマーを含む場合の高吸水性ポリマーの存在形態は、繊維材料の繊維間隙に分散した状態で保持されていても、繊維材料からなる不織布や繊維ウエブ間にサンドイッチされていても良い。繊維材料は、不織布の形態であっても良い。繊維材料としては、パルプ繊維、レーヨン、コットン、酢酸セルロース等の親水性繊維、ポリエチレン、ポリプロピレン等のポリオレフィン系繊維、ポリエチレンテレフタレート等のポリエステル、ポリアミド等の縮合系繊維、ポリ塩化ビニル、ポリ酢酸ビニル等のビニルモノマー重合体の繊維等が挙げられる。疎水性の繊維は、通常、親水化処理して用いられる。高吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。
裏面シート３の形成材料としては、吸収性物品において用いられている各種公知の材料（例えば、樹脂フィルム等）を特に制限することなく用いることができる。
【００２７】
本発明の一実施形態について説明したが、本発明は、その趣旨を逸脱しない範囲内において適宜変更可能である。
例えば、本発明における吸収性物品は、生理用ナプキンの他、パンティライナー、失禁パッド、使い捨ておむつ等であっても良い。また、エンボスは、環状のものに限られず、例えば、吸収性物品の中央付近で長手方向に連なる領域と、吸収性物品の幅方向に連なる領域とが非連続のものであっても良い。但し、両領域を形成するための凸条部とは同一のエンボスロールに設けられていることが好ましい。
【実施例】
【００２８】
〔実施例１〕
ナプキン用のエンボス溝を机上で３種類設計した。第１のエンボス溝は、図５（ａ）に示す平面形状を有し、第２のエンボス溝は、図５（ｂ）に示す平面視形状を有し、第３のエンボス溝は、図５（ｃ）に示す平面視形状を有していた。エンボス溝の形状は、何れにおいても、ナプキンの幅方向の左右両側において対称の形状とした。図５（ａ）〜（ｃ）は、各図の左右方向がエンボス加工時の流れ方向である。
第１〜第３の各エンボス溝のそれぞれについて、エンボス溝上に、ナプキンを幅方向に横断する幅３ｍｍの帯状領域を想定し、該帯状領域を、エンボス溝が形成された部分の一端部から他端部に向かって１ｍｍずつ移動させ、各位置について、帯状領域内に存在するエンボス部の合計面積を求めた。その結果を、図６及び図７に、第１及び第２のエンボス溝についての結果を示した。図６及び図７においては、エンボス溝の一端部より１ｍｍ外側の位置を基準位置とし、エンボス部の合計面積を求めた各位置を、該基準位置からの距離で示した。また、表１に、各エンボス溝について、高圧搾部接触面積の最大値を示した。
また、ナプキンを幅方向に横断する線を引き、その横断線がエンボス部と接触する部分の長さを横断線上において合計した長さを接触線長さとし、前記横断線を、前記基準位置から１ｍｍずつ移動して、各位置における接触線長さを測定し、その結果を、図６及び図７に併せて示した。
【００２９】
【表１】
2006020977.tif 000003
【００３０】
〔成形性の評価〕
エンボス用の凸部を、上記の各エンボス溝のパターンで形成したエンボスロールを用い、それぞれ、後述する表面シート、吸収体及び裏面シートを用いて、５０個以上のナプキンを連続生産した。中間部分の５０個のナプキンについてエンボス溝の状態を肉眼にて観察した。エンボス溝の成形性（エンボス溝の良否）について以下の評価基準で評価し、ナプキン５０個中、各評価のナプキンの個数を表１に併せて示した。
（評価基準）
○：エンボス溝が明瞭に形成されている。
△：表面シートの浮きはないが、エンボス溝のパターンの明瞭性がやや弱い。
×：表面シートに浮きが生じている。
【００３１】
尚、表１中には、接触線長さの最大値を、エンボス溝６の概ね長手方向に延びる部分６５が存在する長手方向中央部６７と、エンボス溝６の概ね幅方向に延びる部分６３が存在する長手方向の両端部６６とに分けて記載した。また、帯状領域内に存するエンボス部の合計面積（エンボス部接触面積）の最大値については、長手方向中央部６７と長手方向の両端部６６とを合わせた全体における最大値を示した。
【００３２】
表面シート、吸収体及び裏面シートは、以下のものを用いた。
〔表面シート〕
第一繊維層として大和紡績株式会社製の芯鞘複合繊維〔商品名ＮＢＦ−ＳＨ、２．２ｄｔｅｘ×５１ｍｍ〕を原料として、カード法によって坪量２０ｇ／ｍ2のカードウエブを形成し、さらにエアースルー法で不織布とした。第二繊維層として大和紡績株式会社製の潜在螺旋状捲縮繊維〔商品名ＣＰＰ、２．２ｄｔｅｘ×５１ｍｍ〕を原料として、カード法によって坪量２０ｇ／ｍ2のカードウエブを形成した。第一層と第二層の不職布を重ね合わせ、これらにドットパターンの熱エンボス加工を施し、次いで、この積層体に上下より熱を吹き付け、第２繊維層形成用の不織布を熱収縮させた。こうして得られた複層不職布（坪量６８〜７５ｇ／ｍ2）を表面シートとして用いた。表面シートは、熱捲縮性繊維を含む不織布側を吸収体側にして吸収体と積層した。
【００３３】
〔吸収体〕パルプ繊維と高吸水性ポリマーとしてのポリアクリル酸架橋体部分ナトリウム塩との混合物を吸収紙（ティッシュペーパー等）で包んだものを用いた。坪量は１８０〜２００ｇ／ｍ2であった。
【００３４】
〔裏面シート〕樹脂フィルムからなるものを用いた。
【００３５】
表１に示す結果から、エンボス部の合計面積の最大値が９ｍｍ2以下である第１及び第２エンボス溝については、エンボス溝の形成工程においてエンボス溝を明瞭に形成することができたことが判る。これに対して、エンボス部の合計面積の最大値が９ｍｍ2を超える第３のエンボス溝については、接触線長さの差は比較的低いが、エンボス溝の形成工程において表面シートに浮きが生じやすく、エンボス溝の成形性に劣ることが判る。
このことから、本発明によれば、設計等したエンボス溝が、実際のエンボス溝の形成工程において、明瞭に形成可能か否かを簡便に判断することができることが判る。
【図面の簡単な説明】
【００３６】
【図１】図１は、本発明における吸収性物品の一例としての生理用ナプキンを示す平面図である。
【図２】図２（ａ）は、図１のナプキンのエンボス溝の一部分を拡大して示す平面図であり、図２（ｂ）は、図２（ａ）のＩ−Ｉ断面を示す断面図であり、図２（ｃ）は、図２（ａ）のII− II断面を示す断面図である。
【図３】図３は、帯状部分の想定の仕方及びその移動方向を示す説明図である。
【図４】図４は、エンボス溝の形成に用いるエンボス装置及び該エンボスロールに設けられたエンボス形成用の凸条部の一部を示す斜視図である。
【図５】図５（ａ）〜（ｃ）は、実施例に用いた第１〜第３のエンボス溝の形状を示す平面図である。
【図６】図６は、図５（ａ）に示すエンボス溝についての接触線長さ及びエンボス部合計面積の計測結果を示すグラフである。
【図７】図７は、図５（ｂ）に示すエンボス溝についての接触線長さ及びエンボス部合計面積の計測結果を示すグラフである。
【符号の説明】
【００３７】
１  生理用ナプキン（吸収性物品）
２  表面シート
３  裏面シート
４  吸収体
６  エンボス溝
【図１】
2006020977.tif 000004
【図２】
2006020977.tif 000005
【図３】
2006020977.tif 000006
【図４】
2006020977.tif 000007
【図５】
2006020977.tif 000008
【図６】
2006020977.tif 000009
【図７】
2006020977.tif 000010